(57)【特許請求の範囲】
【請求項１】
チェーン長手方向に、スプロケットと噛合する多数のリンクプレートからなるリンクを連結して配列し、該リンクの両側に前記スプロケットからの脱落を防止するガイドプレートを配設し、前記リンクプレート及び前記ガイドプレートを幅方向に連結ピンで連結したサイレントチェーンにおいて、
前記ガイドプレートの前記リンクプレートに接する側の面の前記連結ピンを結ぶ線の内方位置に、前記スプロケットを案内する切欠き部を形成し、
前記切欠き部は、前記ガイドプレートの長手方向の全長に渡って形成されると共に、
前記ガイドプレートの前記連結ピンを結ぶ線の内方側の端面から、前記連結ピンに達する位置まで形成されることを特徴とするサイレントチェーン。
【発明の詳細な説明】
【０００１】
【発明の属する技術分野】
本発明は、スプロケットからの脱落防止をするガイドプレートにより構成されるサイレントチェーンに係り、詳しくは、前記ガイドプレートの前記スプロケットをガイドする部分を切り欠いたサイレントチェーンに関する。
【０００２】
【従来の技術】
従来のサイレントチェーン１’は、図８に示すようにガイドプレート３’が側面形状（図８（ｂ））において平面を有していた。従って、多数のリンクプレート２の両側に配設する前記ガイドプレート３’同志の幅方向の内側の間隔は、図９に示すようにスプロケット６’の歯厚寸法と同じか、又はやや大きめに設定している。そして、前記間隔に対応して、スプロケット６’と噛合するリンクプレート２を幅方向に多数重ねて配列している。
【０００３】
【発明が解決しようとする課題】
しかしながら、前記スプロケットの歯先部が、図９に示すように先が細くなっているため、複数のリンクプレート２の内、最外列のリンクプレート２には、前記スプロケットの歯先部が部分的にしか噛合せず、偏摩耗を助長していた。
【０００４】
そこで、本発明の目的は、リンクの両側に配設したガイドプレートの外幅を拡大せずに、最外列のリンクプレートが全面的にスプロケットと噛合することにより、リンクプレートの偏摩耗の助長を回避することができるサイレントチェーンを提供することにある。
【０００５】
【課題を解決するための手段】
本発明は、上述の事情に鑑みてなされたものであって、チェーン（１）の長手方向に、スプロケット（６）と噛合する多数のリンクプレート（２）からなるリンク（１ａ）を連結して配列し、該リンク（１ａ）の両側に前記スプロケット（６）からの脱落防止をするガイドプレート（３）を配設し、前記多数重ねて配列したリンクプレート（２）及び前記ガイドプレート（３）を幅方向に連結ピン（４）で連結したサイレントチェーン（１）において、前記ガイドプレート（３）の前記リンクプレート（２）に接する側の面の前記連結ピン（４）を結ぶ線（４ａ）の内方位置に、前記スプロケット（６）を案内する切欠き部（５）を形成する。
【０００６】
また、前記切欠き部（５）が、前記ガイドプレート（３）の長手方向の全長に渡って形成されることを特徴とする。
【０００７】
更に、前記切欠き部（５）が、前記ガイドプレート（３）の前記連結ピン（４）を結ぶ線（４ａ）の内方側の端面から、前記連結ピン（４）に達する位置まで形成される。
【０００８】
［作用］
以上の構成に基づき、多数重ねて配列したリンク（１ａ）の凹部と、該リンク（１ａ）の両側に配設したガイドプレート（３）に形成した切欠き部（５）にスプロケット（６）が挿入して、該スプロケット（６）の側面部が前記ガイドプレート（３）に形成した切欠き部（５）に接近又は接触すると共に、前記スプロケット（６）の歯先部がリンクプレート（２）の略全面に噛合することにより、リンクプレート（２）の偏摩耗の助長を回避することができるため、サイレントチェーン（１）の寿命を延伸することができる。
【０００９】
また、前記切欠き部（５）が、前記ガイドプレート（３）の長手方向の全長に渡って形成され、更に前記ガイドプレート（３）の前記連結ピン（４）を結ぶ線（４ａ）の内方側の端面から、前記連結ピン（４）に達する位置近傍まで形成されていることにより、潤滑油の流入経路（７）から前記切欠き部（５）を経由して、潤滑油が前記連結ピン（４）の位置に流入するため、該連結ピン（４）及び前記リンクプレート（２）のピン孔（８）への潤滑油の流入が容易になされ、サイレントチェーン（１）の保守作業の合理化を図ることができる。
【００１０】
なお、上述したカッコ内の符号は図面を参照するために示すものであって、本発明の構成をなんら限定するものではない。
【００１１】
【発明の実施の形態】
以下、図面に沿って、本発明による実施の形態について説明する。
【００１２】
図１は、本発明の一実施の形態を示すサイレントチェーン１の正面図である。前記サイレントチェーン１は、長手方向に、スプロケット６と噛合する多数のリンクプレート２からなるリンク１ａを連結して配列し（図４）、該リンク１ａの両側に前記スプロケット６からの脱落防止をするガイドプレート３を配設してある。そして、前記多数重ねて配列したリンクプレート２及び前記ガイドプレート３を該サイレントチェーン１の幅方向に連結ピン４を嵌合して連結し、該連結ピン４の両端部をかしめることにより（図２）、該サイレントチェーン１が分解しないように設けてある。
【００１３】
前記ガイドプレート３の前記リンクプレート２に接する側の面の前記連結ピン４を結ぶ線４ａの内方位置には、前記スプロケット６を案内する切欠き部５を形成してある。従って、図１のＡ−Ａ矢視断面を図５に示すように、前記スプロケット６の側面部が前記ガイドプレート３に形成した切欠き部５に接近又は接触すると共に、前記スプロケット６の歯先部がリンクプレート２の略全面に噛合することにより、リンクプレート２の偏摩耗の助長を回避することができる。
【００１４】
一方、前記切欠き部５は、図３に示すように、前記ガイドプレート３の長手方向の全長に渡って形成し、かつ、前記ガイドプレート３の前記連結ピン４を結ぶ線４ａの内方側の端面から、該前記ガイドプレート３に設けた連結ピン４を嵌合するピン孔８に達する位置まで形成してある。従って、図１のＢ−Ｂ矢視断面を図６に示すように、潤滑油の流入経路７から前記切欠き部５を経由して、潤滑油が前記ピン孔８に流入するため、該連結ピン４及び前記リンクプレート２のピン孔８への潤滑油の流入が容易になされる。
【００１５】
次いで、本発明の作用について説明する。
【００１６】
上述の構成に基づき、図５に示すように、多数重ねて配列したリンクプレート２の凹部と、該リンクプレート２の両側に配設したガイドプレート３に形成した切欠き部５にスプロケット６が挿入して、該スプロケット６の側面部が前記ガイドプレート３に形成した切欠き部５に接近又は接触すると共に、前記スプロケット６の歯先部がリンクプレート２の略全面に噛合する。従って、リンクプレート２の偏摩耗の助長を回避することができる。
【００１７】
そして、前記切欠き部５と最外列のリンクプレート２により形成される潤滑油の流入経路７から、潤滑油が前記切欠き部５を経由して、前記ガイドプレート３及び最外列のリンクプレート２のピン孔８に流入する。更に、潤滑油が前記連結ピン４をつたわって、該連結ピン４及び前記最外列のリンクプレート２の内側に位置するリンクプレート２のピン孔８との嵌合隙間へ容易に流入する。従って、サイレントチェーン１の保守作業の合理化を図ることができる。
【００１９】
【発明の効果】
以上説明したように、本発明は、リンクの両側に配設したガイドプレートに形成した切欠き部にスプロケットの側面部が接近又は接触することにより、前記スプロケットの歯先部が前記リンクのリンクプレートの略全面に噛合できるため、リンクプレートの偏摩耗の助長を回避して、サイレントチェーンの寿命を延伸することができ経済的である。
【００２０】
また、リンクプレートの両側に配設したガイドプレートの外幅を拡大せずに、スプロケットの歯先部がリンクプレートの略全面に噛合することができるため、限られた伝動スペースを拡大せずにリンクプレートの偏摩耗の助長を回避することができ、装置の大型化を回避して該装置の設置場所の節減及びコストダウンを図ることができる。
【００２１】
更に、前記切欠き部が、ガイドプレートの長手方向の全長に渡って形成してあるため、該切欠き部の形状の精度向上が容易であると共に該切欠き部の加工も容易になり、品質の向上及びコストダウンを図ることができる。
【００２２】
また、切欠き部により削除されたガイドプレート残部が、スプロケットとリンクプレートとの噛合により発生する騒音の防護壁になるため、サイレントチェーンの品質が向上される。
【００２３】
そして、ガイドプレートの長手方向の全長に渡って形成した前記切欠き部が、前記ガイドプレートの連結ピンを結ぶ線の内方側の端面から、前記連結ピンに達する位置近傍まで形成してあることにより、前記切欠き部を経由して、潤滑油が前記連結ピンの位置に直接供給されるため、該連結ピン及び前記リンクプレートのピン孔への潤滑油の流入が容易になされ、サイレントチェーンの保守作業の合理化を図ることができる。
【図面の簡単な説明】
【図１】本発明の一実施の形態を示すサイレントチェーンの正面図。
【図２】同平面図。
【図３】本発明の要部であるガイドプレートを示す、（ａ）正面図及び（ｂ）側面図。
【図４】リンクプレートの正面図。
【図５】図１におけるＡ−Ａ矢視断面図。
【図６】同Ｂ−Ｂ矢視断面図。
【図７】従来のサイレントチェーンの正面図。
【図８】従来のガイドプレートを示す、（ａ）正面図及び（ｂ）側面図。
【図９】図７におけるＣ−Ｃ矢視断面図。
【図１０】同Ｄ−Ｄ矢視断面図。
【符号の説明】
１      サイレントチェーン
１ａ    リンク
２      リンクプレート
３      ガイドプレート
４      連結ピン
４ａ    連結ピンを結ぶ線
５      切欠き部
６      スプロケット
７      潤滑油の流入経路
８      ピン孔
【図１】
0003765865.tif 000002
【図２】
0003765865.tif 000003
【図３】
0003765865.tif 000004
【図４】
0003765865.tif 000005
【図５】
0003765865.tif 000006
【図６】
0003765865.tif 000007
【図７】
0003765865.tif 000008
【図８】
0003765865.tif 000009
【図９】
0003765865.tif 000010
【図１０】
0003765865.tif 000011